(57)【要約】【課題】安全レバーが安全位置、完全ロック位置にあるときには、確実にトリガ移動を阻止できる簡易な構成のボルトアクション銃の安全装置を提供する。【解決手段】安全レバー４０を完全ロック位置Ｐ１にすると、第１の位置決め孔４５と安全子３１とが係合される。この状態ではトリガ上腕１５ａが前方に移動しようとしても安全子３１がその移動経路中に突出していて干渉するのでトリガを引くことができない。トリガを強く引いても、安全子３１がケーシング１０の摺動孔３０に摺動案内されていてその力をケーシング１０自体で負荷するので、トリガの運動を確実に阻止できる。同時にボルト係合部がボルトの係止溝に入り込みボルト操作も阻止する。安全レバー４０を安全位置Ｐ２にすると、ボルト操作はできるが安全子３１の軸線位置は変わらず、やはりトリガ操作はできない。【選択図】  図３
2004308929.tif 000002
【特許請求の範囲】
【請求項１】
尾筒に回転かつ軸線方向に移動するように設けられたボルトと、撃発機構と連繋され、ケーシングに揺動可能に軸支したトリガとを備えたボルトアクション銃であって、トリガとボルトの運動を制御するために第１〜第３の３つの位置に切り替えられる安全操作部材を備えるとともに、トリガの上腕移動経路内に出没するトリガの運動制御のためのトリガ阻止部分と、ボルトに係脱するボルトの運動制御のためのボルト係合部とを有し、安全操作部材を第１、第２の位置としたとき、トリガ阻止部分がトリガ上腕の移動経路内にあってトリガ運動を阻止し、第３の位置としたとき、トリガ阻止部分が前記トリガ上腕の移動経路内から退避してトリガ運動を許容し、また、安全操作部材を第１の位置としたとき、ボルト係合部がボルトに係合してボルト運動を阻止し、第２、第３の位置としたとき、ボルト係合部がボルトから脱してボルト操作を許容するように構成したボルトアクション銃の安全装置において、ケーシングには、トリガの上腕の前方位置と対応してトリガ揺動軸線と平行でケーシングの一方の外側面に開口する摺動孔を設け、その摺動孔に安全子を軸線方向に進退可能に嵌装して安全子を軸線前方に付勢するバネを介在し、前記摺動孔が開口するケーシングの外側面には、安全操作部材としての安全レバーをトリガ軸線と平行な軸線回りに揺動するように設け、この安全レバーにはボルト係合部を一体に備え、安全レバーの前記安全子との対向面には、安全子の先端と係合して安全レバーを第１、第２、第３位置に位置決めする第１〜第３の位置決め孔を形成し、第１、第２の位置決め孔は、安全子の先端がそれらの位置決め孔と係合したときに安全子のトリガ阻止部分がトリガ上腕の移動経路内に位置する孔形状とし、第３の位置決め孔は、安全子の先端と係合したときに上記トリガ阻止部分がトリガ上腕の移動経路の外側に退避する孔形状としたことを特徴とするボルトアクション銃の安全装置。
【請求項２】
安全レバーとトリガとは共通の支持軸回りに揺動するように支持されていることを特徴とする請求項１記載のボルトアクション銃の安全装置。
【請求項３】
安全レバーは、扇形状の中央部分と、中央部分の後上端部から上方に延びる操作レバー部と、中央部分の前上端部から上方に延びるボルト係合腕とから構成され、３つの位置決め孔は、中央部分の内側面に形成され、ボルト係合腕先端がボルトの縦溝に係脱することを特徴とする請求項１または２記載のボルトアクション銃の安全装置。
【請求項４】
安全子の先端はテーパ面取り部としてあり、第３の位置決め孔は、そのテーパ面取り部の全部が嵌まり込んで安全子のトリガ阻止部分を左右壁の間の空間外側となる退避位置に位置させる大径のテーパ孔に形成され、第１、第２の位置決め孔は安全子のテーパ面取り部の一部が入り込んで安全子のトリガ阻止部分を左右壁の間に突出状態とする小径孔に形成されていることを特徴とする請求項１〜３の何れかに記載のボルトアクション銃の安全装置。
【請求項５】
安全レバーの中央部の上縁部外側面に摺接する安全レバーの上縁部浮き上がり防止部材を設けたことを特徴とする請求項１〜４の何れかに記載のボルトアクション銃の安全装置。
【発明の詳細な説明】
【０００１】
【発明の属する技術分野】
本発明は、ボルトアクション銃におけるボルトとトリガの運動を選択的に阻止する安全装置に関するものであり、特に、ボルトもトリガも運動（操作）不能とできる状態（完全ロック）、ボルトは操作できるがトリガは操作できない状態（安全）、ボルトとトリガのいずれもが運動できる状態（撃発）、の３つの運動状態に切換えできる上記安全装置に関する。
【０００２】
【従来の技術】
このような安全装置として、特許文献１には、縦軸回りに、完全ロック位置、安全位置、撃発位置の３ポジションを採るセレクタ（安全レバー）を備え，そのセレクタに形成したカム面と係合する制御係合面を一端に形成したトリガロックレバーを水平方向に揺動するように設け，トリガロックレバー先端に設けたトリガ阻止部分を、トリガの上腕部の前側に出没するようにして、セレクタを完全ロック位置としたときには，トリガロックレバーの先端部分がトリガの上腕部の前側と係合する位置に位置してトリガの運動を阻止し、かつ、セレクタの指かけ部で固定プランジャをボルトに係合してボルト操作をロックし、セレクタを安全位置としたときには，前記指かけ部が固定プランジャから離れてボルトは操作できるがトリガロックレバーはトリガロック位置に保持されてトリガはロックされ，撃発位置とすると、トリガ、ボルト共に操作可能となるものが開示してある。
また、特許文献２には、安全レバーがリリース（撃発）位置と第１ロッキング（安全）位置では安全レバーはボルトから引っ込められてボルト操作が可能であり、第２ロッキング位置（完全ロック位置）では安全レバーはボルトの動きを阻止しており、同時に、安全レバーをリリース位置から第１、第２のロッキング位置の何れかへ動かすことにより、安全レバーの溝部で一端をハウジングに連結した板ばねの突起部を押し、板ばねの可動部分がアンブロッキング位置からブロッキング位置に位置されて、トリガの上腕の移動経路内に位置してトリガの動きはブロックされ、リリース位置では、上記重ね板ばねの可動部分がトリガの動きを許すためのアームの移動経路の外側となるものが開示してある。
また、上記３つの運動位置を選択できる別のものとして特許文献３のものもある。なお、完全ロック位置と撃発位置との２つの運動位置に切り替えるものとしては、特許文献４のものがあり、付勢されたボールと２つの位置決め孔とでボルトロックアームの、ボルト係合溝に対する位置を定める安全装置が開示してある。
【０００３】
【特許文献１】
特公平４−７８９１９号公報
【特許文献２】
アメリカ特許６０７３３８０号公報
【特許文献３】
アメリカ特許４８７０７７０号公報
【特許文献４】
アメリカ特許２５１４９８１号公報
【０００４】
【発明が解決しようとする課題】
特許文献１では、セレクタが選択し得る３つの位置は、セレクタ側に内蔵されているばね付勢された戻り止めと、その戻り止めが係脱する３つの凹所との係合で位置決めされ、その位置決め機構と別に、先端にトリガ阻止部分を備えたトリガロックレバーを水平方向に揺動するように設けてトリガロック機構を構成しているので、全体の構成が複雑となる。また、ボルトロックのためにセレクタと別部材の固定プランジャとセレクタの指かけ部との係脱構造を採用しており、その点でも構造が一層複雑となっている。
特許文献２では、板ばねに設けた三角形の突起部を安全レバーに設けた溝部で押して板ばねの自由端部分（可動部分）をトリガの上腕の移動経路内に位置させてトリガ移動を阻止するものであるため、トリガを強く引くと移動経路内の可動部分がそのばね性のために湾曲してしまい、トリガの移動を阻止できずに撃発が行なわれてしまう危険がある。特許文献３は機構が複雑である。
この発明は、これらの従来技術に鑑み、簡易な構成で、安全レバーが安全位置、完全ロック位置にあるときには、確実にトリガ移動を阻止できる安全装置を提供することを目的とする。
【０００５】
【課題を解決するための手段】
上記課題解決のため、本願では、尾筒に回転かつ軸線方向に移動するように設けられたボルトと、撃発機構と連繋され、ケーシングに揺動可能に軸支したトリガとを備えたボルトアクション銃であって、トリガとボルトの運動を制御するために第１〜第３の３つの位置に切り替えられる安全操作部材を備えるとともに、トリガの上腕移動経路内に出没するトリガの運動制御のためのトリガ阻止部分と、ボルトに係脱するボルトの運動制御のためのボルト係合部とを有し、安全操作部材を第１、第２の位置としたとき、トリガ阻止部分がトリガ上腕の移動経路内にあってトリガ運動を阻止し、第３の位置としたとき、トリガ阻止部分が前記トリガ上腕の移動経路内から退避してトリガ運動を許容し、また、安全操作部材を第１の位置としたとき、ボルト係合部がボルトに係合してボルト運動を阻止し、第２、第３の位置としたとき、ボルト係合部がボルトから脱してボルト操作を許容するように構成したボルトアクション銃の安全装置において、ケーシングには、トリガの上腕の前方位置と対応してトリガ揺動軸線と平行でケーシングの一方の外側面に開口する摺動孔を設け、その摺動孔に安全子を軸線方向に進退可能に嵌装して安全子を軸線前方に付勢するバネを介在し、前記摺動孔が開口するケーシングの外側面には、安全操作部材としての安全レバーをトリガ軸線と平行な軸線回りに揺動するように設け、この安全レバーにはボルト係合部を一体に備え、安全レバーの前記安全子との対向面には、安全子の先端と係合して安全レバーを第１、第２、第３位置に位置決めする第１〜第３の位置決め孔を形成し、第１、第２の位置決め孔は、安全子の先端がそれらの位置決め孔と係合したときに安全子のトリガ阻止部分がトリガ上腕の移動経路内に位置する孔形状とし、第３の位置決め孔は、安全子の先端と係合したときに上記トリガ阻止部分がトリガ上腕の移動経路の外側に退避する孔形状としたことを特徴とする。
【０００６】
これによれば、安全子が安全レバーの位置決めをすると共に、安全子の軸線方向位置を位置決め孔との嵌め合いで制御して安全子に設けたトリガ阻止部分をトリガ上腕の移動経路の内側と外側とに移動するようにしているため、安全レバーの位置決め機構とトリガ運動阻止機構とを全く別々に備えるものに比べて構成が簡易である。また、トリガ阻止部分がトリガ上腕の移動経路内にある状態でトリガを強く引いても、安全子がケーシングの摺動孔に摺動案内されていることから板ばねのようにトリガの移動を許容するように撓むこともない。
安全レバーとトリガとは共通の支持軸回りに揺動するように支持されていると、支持軸を１つにできてより構成が簡易である。
【０００７】
より具体的に安全レバーは、扇形状の中央部分と、中央部分の後上端部から上方に延びる操作レバー部と、中央部分の前上端部から上方に延びるボルト係合腕とから構成され、３つの位置決め孔は、中央部分の内側面に形成され、ボルト係合腕先端がボルトの縦溝に係脱する。安全子の先端はテーパ面取り部としてあり、第３の位置決め孔は、そのテーパ面取り部の全部が嵌まり込んで安全子のトリガ阻止部分を左右壁の外側となる退避位置に位置させる大径のテーパ孔に形成され、第１、第２の位置決め孔は安全子のテーパ面取り部の一部が入り込んで安全子のトリガ阻止部分を左右壁の間に突出状態とする小径孔に形成されている。
安全レバーの中央部の上縁部外側面に摺接する安全レバーの上縁部浮き上がり防止部材を設けてある。これによれば、安全子を外側に付勢しているばねのばね力で外方に押される状態の安全レバーを受け止めて安全レバーをハウジングの壁にごく接近した状態を維持でき、がたつきを抑えて安全レバーの３つの位置の位置決めが不安定になる不都合を回避できる。
【０００８】
【発明の実施の形態】
実施の形態について図面を参照して説明する。図１において、図示しない銃身の後部に取り付けられた尾筒１にボルト２が軸線方向に移動可能に嵌め込まれ、且つ、その軸心回りに回転できるようになっている。ボルト２の後部にはボルト２を回転させ、また、軸線方向に移動させるためのボルトハンドル３が一体に設けてある。ボルトハンドル３は、尾筒１のハンドル係止斜面４に当接された状態で図２の閉鎖角度位置Ａとなる。ボルト２には撃発機構５の一部を成す撃針６が進退可能に設けてあり、撃針ばね７により前方に付勢されている。尾筒１の下側には、ケーシング（引金枠）１０が固着されている。ケーシング１０は、左右壁１１，１２の間に引金機構１３を収容する溝部１４を有する。引金機構１３において、ケーシング１０の左右壁１１，１２の間には、トリガ１５の中間部が支持軸１６により支持され、トリガ１５は前後方向に揺動するように支持されている。支持軸１６は後述するように、一方の壁１２の外側において安全レバー４０を揺動可能に支持している。トリガ１５の上腕１５ａはケーシング１０の左右壁間距離とほぼ同じ厚みで、壁１１，１２の間に配置されている（図３）。シア（逆鈎）１７が揺動するように軸支され、逆鈎ばね１８で上方に付勢されている。トリガ１５の上腕１５ａの頂部は、シア１７の前端部下面と係脱可能である。ボルト２を尾筒１内に挿入してボルトハンドル３を前記角度位置Ａとすると図１の撃発準備状態となり、トリガ１５が引金ばね１９の力でストッパ２０に押し当てられた状態からトリガ１５を引くとトリガ１５の上腕１５ａが前方に倒れてシア１７との係合が解除され、撃針ばね７のばね力でシア１７が時計方向に揺動してコッキングピース２１の係止端２１ａとシア１７上部との係合が外され、コッキングピース２１と一体の撃針６が前進して薬室内の弾薬が撃発されて弾丸が発射される。このような構造は周知である。
【０００９】
次に本願安全装置について説明する。図３に示すように、ケーシング１０には、一方の壁（後方から見て右側壁１２）の外側から、トリガ１５の上腕１５ａの前方位置と対応する位置に前記支持軸１６と平行に断面円形の摺動孔３０が設けてあり、右壁１２の外側面に開口している。摺動孔３０は前記溝部１４により左右壁１１，１２の間で円周の一部が切り欠かれ、溝部１４とつながっている。摺動孔３０には、円形断面の安全子３１が支持軸１６と平行な軸線方向に進退するように嵌め込んである。他方の壁（左側壁１１）に形成された摺動孔３０の底部３２と安全子３１との間に、安全子３１を摺動孔３０の外方（安全子３１の先端方向）に付勢するコイルバネ３３が介在してある。安全子３１の先端はテーパ面取り部３４に形成されている。安全子３１の外径は、前記コイルバネ３３外径より大きく設定されている。安全子３１の軸線後部（テーパ面取り部３４と軸線反対側部分）はトリガ阻止部分３５となっていて、溝部１４内に出没可能になっている。
【００１０】
図４〜６に示すように、右側壁１２の外側面１２ａに沿って、板材から成るＶ字の安全レバー（安全操作部材）４０が前記支持軸１６により前後方向に揺動するように支持されている。安全レバー４０は、扇形形状の中央部分４１と、中央部分４１の後上端部から上方に延び、側方に屈曲して先端に指かけ部４２を設けた操作レバー部４３と、中央部分４１の前上端部から上方に延びるボルト係合腕４４とから構成されている。中央部分４１の内側面（右側壁１２の外側面１２ａとの対向面）には、前記安全子３１の先端部が係脱して、第１〜第３の各位置に安全レバー４０を位置させると共に、各位置における安全子３１の軸線方向位置を制御する３つの位置決め孔４５，４６，４７が前記支持軸１６を中心として同一円周上に設けてある。第１の位置は図４に示され、ボルト２、トリガ１５両方の運動を阻止する完全ロック位置Ｐ１であり、第２の位置は図５に示され、トリガ１５のみの運動を阻止する安全位置Ｐ２であり、第３の位置は図６に示される撃発位置Ｐ３である。
【００１１】
図３において、第１の位置決め孔４５は、安全レバー４０を完全ロック位置（第１の位置）Ｐ１に位置決めするものであり、前記安全子３１の面取り部３４の先端一部が係合する小径孔であり、小さな面取りが施してある。第１の位置決め孔４５に安全子３１が係合した状態では、安全子３１の後端部に設けたトリガ阻止部分３５は、図３（ａ）に示すように、左右壁１１，１２の間の溝部１４内に突出してトリガ上腕１５ａの前方への移動経路内となるトリガ運動阻止位置Ｓ１に位置している。第２の位置決め孔４６は、安全レバー４０を安全位置（第２の位置）Ｐ２に位置決めするものであり、前記安全子３１の面取り部３４の先端一部が係合する小径孔である。第２の位置決め孔４６に安全子３１が係合した状態でも、安全子３１のトリガ阻止部分３５は、壁１１，１２の間に突出したトリガ運動阻止位置Ｓ１となっている（図３（ｂ））。
第３の位置決め孔４７は、安全レバー４０を撃発位置（第３の位置）Ｐ３に位置決めするものであり、前記安全子３１の面取り部３４全体が入り込む大径のテーパ孔である。第３の位置決め孔４７に安全子３１が係合した状態では、安全子３１は、そのトリガ阻止部分３５が右側壁１２の壁の内側に入り込む退避位置Ｓ２に位置し、トリガ上腕１５ａの前方への移動経路（左右壁１１，１２の間の空間）の外側になるようにしてある。
【００１２】
安全子３１の直径は、安全子３１のトリガ阻止部分３５が前記トリガ運動阻止位置Ｓ１にある状態において、トリガ１５を引いてもその上腕１５ａがその安全子３１と当接して前方への揺動が阻止されてトリガ１５の上腕１５ａとシア１７との係合が外れることのないようなサイズに設定してある。また、コイルバネ３３の外径は、安全子３１が右側壁内に入り込んだ退避位置Ｓ２にある状態においてトリガ１５を引いた時、トリガ１５の上腕１５ａがコイルバネ３３外径まで揺動する間に、トリガ１５の上腕１５ａとシア１７との係合が外れる、つまり、トリガ１５の前方への運動が阻止されないような大きさに設定してある。
【００１３】
安全レバー４０のボルト係合腕４４の先端は、ボルト係合部４４ａに形成されている。そのボルト係合部４４ａが通過する溝５０が尾筒１に形成されている（図４〜６、及び図７）。また、ボルト２には、ボルトハンドル３の根元部分の裏側に、ボルトハンドル３を閉鎖角度位置Ａに回動した状態で、前記溝５０と前後方向に連続する係止溝（縦溝）５１が形成してある（図４〜６、図８）。ボルト係合部４４ａは、ボルト２を尾筒１に挿入して閉鎖角度位置Ａとした撃発準備位置において、安全レバー４０が完全ロック位置Ｐ１にあるときのみ、前記ボルト２の係止溝５１内に入り込んでボルト２の回転運動を阻止するようになっている（図４、８）。
【００１４】
図９に示すように、ケーシング１０には、中央部分４１の上側に支持軸１６と平行なストッパ軸５５が設けてある。ストッパ軸５５は安全レバー４０の揺動規制部４０ａ，４０ｂと当接することで安全レバー４０前後の揺動端を規制する。ストッパ軸５５の先端には前記安全レバー４０の上縁部浮き上がり防止部材（円板部分）５６が一体に設けてある。この上縁部浮き上がり防止部材５６は、安全レバー４０の中央部分４１の上縁部外側面４１ａに摺接して、安全レバー４０の上縁部が、安全子３１を軸線外側に付勢しているコイルバネ３３のバネ力で、ケーシング１０の右側壁１２の外側面１２ａから浮き上がってしまうことを防止し、第１〜第３の位置決め孔４５〜４７と安全子３１先端の係合が確実となるようにしている。
【００１５】
このような構成において、ボルト２を尾筒１へ挿入して閉鎖角度位置Ａとした状態で、安全レバー４０を操作して完全ロック位置Ｐ１にすると、第１の位置決め孔４５と安全子３１とが係合されて位置決めされる。この状態では、安全子３１のトリガ阻止部分３５がトリガ運動阻止位置Ｓ１にあるため、この状態でトリガ１５を引いても、トリガ１５の上腕１５ａが安全子３１と干渉してトリガ１５を引くことができない。仮にトリガ１５を強く引いても、安全子３１はトリガ１５の揺動方向と直交する方向において、ケーシング１０の摺動孔３０に摺動するように支持されていてその力をケーシング１０自体で負荷するので、安全子３１自体が変形するようなことはなく、トリガ１５運動を確実に阻止できる。同時に、ボルト係合部４４ａがボルト２の係止溝５１に入り込んでいるため、ボルト２を開くこともできない完全ロック状態となる。従って、弾薬が薬室に入っていても、これが撃発されることはない（図４、図３（ａ））。
【００１６】
次に、安全レバー４０を操作して安全位置Ｐ２にすると、第２の位置決め孔４６と安全子３１とが係合されて位置決めされる。この状態でも、安全子３１のトリガ阻止部分３５がトリガ運動阻止位置Ｓ１にあるため、この状態でトリガ１５を引いても、トリガ１５の上腕１５ａが安全子３１と干渉してトリガ１５を引くことができない。しかし、ボルト係合部４４ａがボルト２の係止溝５１から抜き出るため、ボルト２を開き、かつ、軸線方向に移動させることができる安全状態となる。従って、薬室に対して、弾薬を撃発することなく安全に出し入れできる（図５、図３（ｂ））。
【００１７】
次に、安全レバー４０を操作して撃発位置Ｐ３とすると、第３の位置決め孔４７と安全子３１とが係合されて位置決めされる。この状態では、ボルト係合部４４ａはボルト２の係止溝５１から抜け出ており、ボルト２は自由に操作できる。また、安全子３１のトリガ阻止部分３５は、トリガ１５の上腕１５ａの前方空間から退避位置Ｓ２に退避するので、この状態でトリガ１５を引くと、トリガ１５上腕１５ａはコイルバネ３３外周に当接するまで前方に揺動でき、この揺動で、トリガ１５上端がシア１７下面からの係合を脱する。これにより撃発機構５が作動される（図６、図３（ｃ））。
【００１８】
【発明の効果】
以上のように本願では、安全子が安全レバーの位置決めをすると共に、安全子の軸線方向位置を位置決め孔との嵌め合いで制御して安全子に設けたトリガ阻止部分をトリガ上腕の移動経路の内側と外側とに移動するようにしているため、安全レバーの位置決め機構とトリガ運動阻止機構とを全く別々に備えるものに比べて簡易な構成にできる。また、トリガ阻止部分がトリガ運動阻止位置にある状態でトリガを強く引いても、安全子が摺動孔に摺動案内されていることから板ばねのようにトリガの移動を許容するように撓むこともなく、極めて安全性が高い。
【図面の簡単な説明】
【図１】ボルトアクション銃の引金、撃発機構部分の縦断面図である。
【図２】図１のＩＩ視図である。
【図３】（ａ）は安全レバーが完全ロック位置にあるとき、（ｂ）は安全レバーが安全位置にあるとき、（ｃ）は安全レバーが撃発位置にあるときの、夫々図１のＩＩＩ−ＩＩＩ線断面図である。
【図４】安全レバーが完全ロック位置にあるときの図２の右側面図である。
【図５】安全レバーが安全位置にあるときの図２の右側面図である。
【図６】安全レバーが撃発位置にあるときの図２の右側面図である。
【図７】図４のＶＩＩ−ＶＩＩ線での尾筒部分のみを示す断面図である。
【図８】ボルトの係止溝を説明するボルトの横断面図である。
【図９】図６のＩＸ視図であり、安全レバーの上縁部浮き上がり防止部材を説明する図である。
【符号の説明】
１  尾筒
２  ボルト
５  撃発機構
１０  ケーシング
１２ａ  外側面
１５  トリガ
１５ａ  トリガの上腕
１６  支持軸
３０  摺動孔
３１  安全子
３３  コイルバネ（バネ）
３４  テーパ面取り部
３５  トリガ阻止部分
４０  安全レバー（安全操作部材）
４１  中央部分
４３  操作レバー部
４４  ボルト係合腕
４４ａ  ボルト係合部
４５  第１の位置決め孔
４６  第２の位置決め孔
４７  第３の位置決め孔
５１  ボルトの係止溝（縦溝）
５６  上縁部浮き上がり防止部材
【図１】
2004308929.tif 000003
【図２】
2004308929.tif 000004
【図３】
2004308929.tif 000005
【図４】
2004308929.tif 000006
【図５】
2004308929.tif 000007
【図６】
2004308929.tif 000008
【図７】
2004308929.tif 000009
【図８】
2004308929.tif 000010
【図９】
2004308929.tif 000011